(57)【要約】【課題】ジャムの発生を防ぐとともに、磁気ヘッドの簡易な位置決めを実現することが可能な媒体処理装置、また、この装置に適用可能であって、磁気情報の読取精度の低下を防ぐことが可能な磁気ヘッドを提供することにある。【解決手段】媒体処理装置１に適用可能な磁気ヘッド１１は、情報記録媒体（例えば小切手１７など）を搬送する搬送方向に沿って異極が着磁された磁石１１ａと、磁石１１ａの外周面であって、情報記録媒体（例えば小切手１７など）を搬送する搬送路１４に対向する面に取り付けられたヨーク１１ｂと、長手方向が搬送方向と略垂直な方向になるように、ヨーク１１ｂに形成されたスリット１１ｄと、を有し、スリット１１ｄの端部のうち少なくとも一方の端部が閉じられているとともに、ヨーク１１ｂは、搬送方向において磁石１１ａよりも長く延設されている。【選択図】図２
2011249006.tif 000002
【特許請求の範囲】
【請求項１】
情報記録媒体を搬送する搬送方向に沿ってＮ極・Ｓ極が着磁された磁石と、該磁石の、前記情報記録媒体と対向する面に取り付けられたヨークと、該ヨークに形成されたギャップとを有し、前記ギャップの少なくとも一方の端部が閉じられている、ことを特徴とする磁気ヘッド。
【請求項２】
前記ヨークは、前記搬送方向において前記磁石よりも長く延設されていることを特徴とする請求項１記載の磁気ヘッド。
【請求項３】
前記ヨークは一枚板で構成されていることを特徴とする、請求項１または２記載の磁気ヘッド。
【請求項４】
前記ギャップの両端部が閉じられていることを特徴とする、請求項１から３のいずれかに記載の磁気ヘッド。
【請求項５】
情報記録媒体が搬送される搬送路と、前記搬送路を形成するフレームと、前記情報記録媒体上の磁気情報信号を処理する磁気ヘッドと、を有し、前記磁気ヘッドは、前記フレームに配設されているとともに、前記磁気ヘッドは、前記情報記録媒体を搬送する搬送方向に沿って異極が着磁された磁石と、前記磁石の外周面であって、前記情報記録媒体を搬送する搬送路に対向する面に取り付けられたヨークと、長手方向が前記搬送方向と略垂直な方向になるように、前記ヨークに形成されたスリットと、を有し、前記スリットの端部のうち少なくとも一方の端部が閉じられているとともに、前記ヨークは、前記搬送方向において前記磁石よりも長く延設されている、ことを特徴とする媒体処理装置。
【発明の詳細な説明】
【技術分野】
【０００１】
本発明は、例えば磁気カードや小切手などの各種情報記録媒体を処理する媒体処理装置、及びそれに適用可能であって、各種情報記録媒体に所定の磁気情報信号を着磁する、あるいは記録されている磁気情報信号を消磁する磁気ヘッドに関する。
【背景技術】
【０００２】
従来から、店舗における決済において、現金やクレジットカードの代わりに、情報記録媒体としての小切手が用いられる場合がある。小切手を受け取った店舗は、これを銀行などの決済機関に持ち込み、小切手振出人の口座から店舗の口座へ現金振込処理を行ってもらい、決済が完了する。
【０００３】
近年、このような小切手による決済処理の電子化が進んでいる。具体的には、まず、店舗に設置された媒体処理装置によって、小切手の表面に印刷された磁性物質、例えば、ＭＩＣＲ（Magnetic Ink Character Recognition：磁気インク）文字に記録されたデータ（例えば口座番号やシリアルナンバーなど）が読み出される。そして、読み出されたデータは、決済金額とともに決済機関のサーバへと送信される。このような電子決済システムによれば、決済がなされた小切手を決済機関に持ち込む手間を省くことができ、ひいては業務の効率化を図ることができる。
【０００４】
上述した媒体処理装置の従来構造について詳述する（例えば特許文献１など）。図１１は、従来の媒体処理装置１１００における概略構造を示す側断面図である。図１１（ａ）に示すように、従来の媒体処理装置１１００には、主に、磁気ヘッドとしての着磁ヘッド１１０１と、イメージセンサ１１０２と、読取ヘッド１１０３と、搬送路１１０４を形成するフレーム１１０５と、ゲート１１０６が設けられており、ゲート１１０６を介して小切手１１０７が挿入されるようになっている。
【０００５】
そして、挿入された小切手１１０７上のＭＩＣＲ文字は、搬送路１１０４の上流に配設された着磁ヘッド１１０１によって磁化された後、搬送路１１０４の下流に配設された読取ヘッド１１０３によってデータ読取が行われる。なお、ＭＩＣＲ文字を着磁ヘッド１１０１によって一旦磁化する理由は、流通過程において強磁界にさらされる等して弱まったＭＩＣＲ文字の磁化を回復させ、読取ヘッド１１０３におけるデータ読取を安定化させるためである。
【０００６】
ここで、図１１（ａ）に示す着磁ヘッド１１０１の配設態様に着目する。図１１（ｂ）は、図１１（ａ）に示す媒体処理装置１１００の着磁ヘッド１１０１近傍（点線枠Ｚ内）を拡大した側断面図である。図１１（ｂ）に示すように、着磁ヘッド１１０１の摺接面１１０１ａがフレーム１１０５から搬送路１１０４に表出している状態で配設されている。そして、媒体処理装置１１００に挿入された小切手１１０７が、着磁ヘッド１１０１と対向する位置まで搬送されたとき、小切手１１０７は、着磁ヘッド１１０１の摺接面１１０１ａと摺動するか、或いは、着磁ヘッド１１０１の摺接面１１０１ａから微小距離だけ離間した状態で移動する。このようにして、小切手１１０７が着磁ヘッド１１０１と対向する位置を過ぎると、小切手１１０７上のＭＩＣＲ文字は上述したように磁化されることになる。
【０００７】
【特許文献１】特開平０７−３３３０７号公報（図１〜図３）
【発明の開示】
【発明が解決しようとする課題】
【０００８】
しかしながら、図１１（ａ）に示す媒体処理装置１１００では、着磁ヘッド１１０１の摺接面１１０１ａの周囲において、搬送路１１０４を形成するフレーム１１０５が不連続となっていることから（図１１（ｂ）参照）、この部分で、端の折れた小切手１１０７など変形した媒体が詰まってしまい、ジャムが発生する場合がある。
【０００９】
また、フレーム１１０５が不連続となっている部分では、塵や埃が滞留し易い。特に、着磁ヘッド１１０１が発する磁界によって塵や埃が集まりやすくなっている。その結果、この部分に多量の塵や埃が滞留すると、ジャムの発生を誘発することになる。
【００１０】
さらに、図１１（ａ）に示す媒体処理装置１１００では、フレーム１１０５に形成された穴に着磁ヘッド１１０１を嵌めこむ必要があるが、この際、着磁ヘッド１１０１をその穴からどの程度突出させるか、或いはその穴からどの程度引っ込ませるか、といった位置決めに手間が掛かる場合がある。
【００１１】
また、図１１に示す媒体処理装置１１００に適用可能な着磁ヘッド１１０１において、着磁ヘッド１１０１の取り付け精度により、情報記録媒体への磁化が弱い場合がある。そのため、保持力の小さな媒体を着磁する場合などに、誤った方向に着磁されてしまう虞がある。そして、誤った方向に着磁されてしまった場合、情報記録媒体上の磁気情報の正しい読み取りを行うことができない。
【００１２】
本発明は、以上の点に鑑みてなされたものであり、第一の目的は、ジャムの発生を防ぐとともに、磁気ヘッドの簡易な位置決めを実現することが可能な媒体処理装置を提供することにある。さらに、第二の目的は、磁気情報の読取精度の低下を防ぐことが可能な磁気ヘッドを提供することにある。
【課題を解決するための手段】
【００１３】
以上のような課題を解決するために、本発明は、以下のものを提供する。
【００１４】
（１）  情報記録媒体が搬送される搬送路と、前記搬送路を形成するフレームと、前記情報記録媒体上の磁気情報信号を処理する磁気ヘッドと、を有し、前記磁気ヘッドは、前記フレームの一部を介在させた状態で、前記フレームに埋設されていることを特徴とする媒体処理装置。
【００１５】
本発明によれば、搬送路を形成するフレームと磁気ヘッドを有する媒体処理装置で、磁気ヘッドを、フレームの一部を介在させた状態で、フレームに埋設することとしたので、従来の媒体処理装置のように着磁ヘッドの一面（図１１（ｂ）でいえば摺接面１１０１ａ）が搬送路に表出しないことになる。なお、「磁気情報信号」としては、例えば小切手の表面に印刷された磁性物質、例えば、ＭＩＣＲ（Magnetic Ink Character Recognition：磁気インク）文字に記録されたデータ（例えば口座番号やシリアルナンバーなど）が挙げられる。また、「磁気情報信号を処理する」とは、磁性物質を着磁する場合、あるいは磁性物質の磁化を弱ませる場合がある。
【００１６】
従って、磁気ヘッドの存在が原因で、搬送路を形成するフレームが不連続となることはなく、たとえ端の折れた情報記録媒体が挿入されても、磁気ヘッド近傍でジャムが発生するのを防ぐことができる。また、磁気ヘッド近傍でフレームが不連続となっていないので、搬送路のうち磁気ヘッドと対向する位置付近で塵や埃が滞留するのを防ぎ、ひいてはジャムの発生をより確実に防ぐことができる。
【００１７】
さらに、本発明では、磁気ヘッドがフレームに埋設される際、搬送路との間にフレームの一部を介在させた状態で埋設される。従って、そのフレームの一部によって磁気ヘッドを固定することができ、ひいては磁気ヘッドの位置決めを簡易に行うことができる。
【００１８】
ここで、「フレームの一部を介在させた状態で」とあるが、この一部の程度の如何は問わない。例えば、板状の薄いフレーム一枚（又は複数枚）を介在させてもよいし、数ｍｍの厚さをもつフレーム一枚（又は複数枚）を介在させてもよい。また、ここでいうフレームの一部は、例えば読取ヘッドやイメージセンサ付近のフレームと繋がっていても繋がっていなくてもよく、搬送路を形成するフレームの一部であれば足りる。更に、本発明は、磁気ヘッドと搬送路との間に、フレームの一部以外の何らかの部材が介在していることを排除する趣旨ではない。
【００１９】
（２）  前記磁気ヘッドは、前記搬送路の反対側において、前記フレームに接着剤により接着されていることを特徴とする（１）記載の媒体処理装置。
【００２０】
本発明によれば、上述した磁気ヘッドは、搬送路の反対側において、フレームに接着剤により接着されていることとしたので、振動等によって磁気ヘッドがずれてしまうのを防ぐことができ、ひいては位置決めの信頼性を確保することができる。また、接着剤により接着することで、磁気ヘッドを簡易に取り付けることができる。さらには、磁気ヘッドとフレームとの隙間から塵や埃が進入するのを防ぐことができる。
【００２１】
（３）  前記磁気ヘッドは、前記フレームに形成された凹部に配設されていることを特徴とする（１）又は（２）記載の媒体処理装置。
【００２２】
本発明によれば、上述した磁気ヘッドは、フレームに形成された凹部に配設されていることとしたので、凹部内に配設された磁気ヘッドとフレームとの間の隙間から塵や埃が侵入するのを効果的に防ぐことができる。
【００２３】
（４）  前記磁気ヘッドは、前記凹部に対向し、かつ、平面形状に形成された面を有することを特徴とする（３）記載の媒体処理装置。
【００２４】
本発明によれば、上述した磁気ヘッドは、凹部に対向し、かつ、平面形状に形成された面を有することとしたので、この面と凹部とを向かい合わせに配置することで、磁気ヘッドの位置決めが容易になるとともに、凹部内に配設された磁気ヘッドとフレームとの間の隙間から塵や埃が侵入するのを効果的に防ぐことができる。
【００２５】
（５）  前記フレームの一部は、非磁性材料からなることを特徴とする（１）から（４）のいずれか記載の媒体処理装置。
【００２６】
本発明によれば、上述したフレームの一部は、非磁性材料からなることとしたので、磁気ヘッドを、フレームの一部を介在させた状態でフレームに埋設したとしても、磁気ヘッドから出る磁界を歪めることがない（磁気ヘッドの磁気特性には影響ない）。従って、媒体処理装置に挿入された情報記録媒体を適切に磁化することができる。なお、「非磁性材料」としては、例えば金属や樹脂などが挙げられる。
【００２７】
また、本発明に係る磁気ヘッドは、情報記録媒体を搬送する搬送方向に沿ってＮ極・Ｓ極が着磁された磁石と、該磁石の、前記情報記録媒体と対向する面に取り付けられたヨークと、該ヨークに形成されたギャップとを有し、前記ギャップの少なくとも一方の端部が閉じられていることを特徴とする。この発明によれば、磁気ヘッドはギャップ長の精度を保ちながら、簡単に組立てができる。
【００２８】
さらに、本発明に係る磁気ヘッドは、前記ヨークは、前記搬送方向において前記磁石よりも長く延設されていることが好ましい。
【００２９】
本発明によれば、磁気ヘッド（着磁ヘッド）に、磁石の外周面であって、情報記録媒体を搬送する搬送路に対向する面に取り付けられたヨークと、長手方向が搬送方向と略垂直な方向になるように、ヨークに形成されたスリットと、が設けられ、ヨークは搬送方向において磁石よりも長く延設されているので、磁石から出た磁束のうち、着磁に不要な漏れ磁束を減らすことができる。
【００３０】
すなわち、磁気ヘッドに設けられ、搬送方向において磁石よりも長く延設されているヨークによって、搬送路に入り込む漏れ磁束であって、着磁に用いられる磁束とは逆方向に向かう漏れ磁束を低減することができる。従って、例えば保持力の小さな媒体が搬送された場合などに、誤った方向に着磁してしまうのを防ぐことができ、ひいては磁気情報の読取精度が低下するのを防ぐことができる。また、本発明の磁気ヘッドは、スリットの端部のうち少なくとも一方の端部が閉じられている。従って、スリット端部から漏れ出る漏れ磁束を減らすことができ、ひいては、このような漏れ磁束に起因する誤着磁を防ぐことができる。
【００３１】
また本発明において、前記ヨークは一枚板で構成されていることが好ましい。これにより、ヨークを磁石に簡単に組み付けることができる。
【００３２】
また、本発明は、前記ギャップの両端部が閉じられていることが好ましい。これにより、不要な漏れ磁束を抑制できる。
【発明の効果】
【００３３】
本発明に係る媒体処理装置は、磁気ヘッド近傍のフレームに不連続な部分がないため、情報記録媒体が搬送路の途中で詰まることに起因したジャムの発生を防ぐことができる。また、フレームの一部によって磁気ヘッドを固定することで、磁気ヘッドの位置決めを簡易化することができる。
【００３４】
本発明に係る磁気ヘッドは、情報記録媒体を搬送する搬送方向に沿ってＮ極・Ｓ極が着磁された磁石と、該磁石の、前記情報記録媒体と対向する面に取り付けられたヨークと、該ヨークに形成されたギャップとを有し、前記ギャップの少なくとも一方の端部が閉じられていることを特徴とする。この発明によれば、磁気ヘッドはギャップ長の精度を保ちながら、簡単に組立てができる。
【００３５】
さらに、本発明に係る磁気ヘッドによれば、磁石の外周面に取り付けられたヨークが、磁石よりも長く延設されているので、着磁に不要な漏れ磁束を減らすことができ、ひいては磁気情報の読取精度の低下を防ぐことができる。
【図面の簡単な説明】
【００３６】
【図１】本発明の実施の形態に係る媒体処理装置の概略構造を示す側断面図である。
【図２】図１（ａ）に示す媒体処理装置の着磁ヘッド近傍（点線枠Ｙ内）を拡大した側断面図である。
【図３】図１（ａ）に示す着磁ヘッドの具体的構成の一例を示す図である。
【図４】本発明に係る磁気ヘッドを示す説明図であり、（ａ）は情報記録媒体（図示せず）と接する面を示す正面図、（ｂ）は（ａ）をＸＸ−ＸＸ線に沿って切断した側断面図、（ｃ）は（ａ）をＹＹ−ＹＹ線に沿って切断した側断面図である。
【図５】本発明に係る磁気ヘッドを適用した媒体処理装置を示す概略図である。
【図６】本発明の他の実施の形態である磁気ヘッドを示す図である。
【図７】図１（ａ）に示す媒体処理装置の磁気ヘッド近傍（点線枠Ｙ内）を拡大した側断面図である。
【図８】本発明の他の実施の形態に係る磁気ヘッドの構成を説明するための説明図である。
【図９】本発明の他の実施の形態に係る磁気ヘッドの構成を説明するための側断面図である。
【図１０】本発明の他の実施の形態に係る磁気ヘッドの構成を説明するための側断面図である。
【図１１】従来の媒体処理装置における概略構造を示す側断面図である。
【符号の説明】
【００３７】
１  媒体処理装置
１１、１０１、２１１  着磁ヘッド
１４  搬送路
１５  フレーム
１５ａ  凹部
１７  情報記録媒体
２０  接着剤
１１０、２１１ａ  磁石
１２０Ａ、２１１ｂ  ヨーク
１２０Ｂ、２１１ｃ  バックヨーク
１３０  ギャップ
１３５  閉塞部
２１１ｄ  リターンヨーク部
２１１ｅ  傾斜部
【発明を実施するための最良の形態】
【００３８】
以下、本発明を実施するための最良の形態について、図面を参照しながら説明する。
【００３９】
（媒体処理装置）
図１（ａ）は、本発明の実施の形態に係る媒体処理装置１の概略構造を示す側断面図である。なお、図１（ｂ）は、媒体処理装置１に挿入される小切手１７の外観構成を示す図である。また、媒体処理装置としては、例えば、カードリーダ等があり、情報記録媒体として小切手以外の磁気カード等であってもよい。
【００４０】
図１（ａ）において、小切手１７が搬送される搬送路１４は、非磁性からなるフレーム１５によって形成されている。また、搬送路１４の周辺には、着磁ヘッド（請求項記載の磁気ヘッドに相当）１１と、イメージセンサ１２と、読取ヘッド１３とが配設されている。なお、小切手１７はゲート１６を介して媒体処理装置１内に取り込まれる。また、媒体処理装置１には、駆動ローラ（図示せず）が設けられており、この駆動ローラが搬送路１４の一部を形成する無端ベルト（図示せず）に動力を加えることによって、小切手１７が搬送路１４内で搬送される。
【００４１】
着磁ヘッド１１は、小切手１７の表面に印刷された磁性物質、例えば、ＭＩＣＲ文字１７ａ（図１（ｂ）参照）を着磁するものであって、イメージセンサ１２は、小切手１７の表面をスキャンしてイメージデータとして読み取るものであって、読取ヘッド１３は、着磁ヘッド１１によって着磁（磁化）されたＭＩＣＲ文字１７ａを読み取るものである。
【００４２】
このような構成を有する媒体処理装置１において、その動作を以下に説明する。まず、小切手１７がゲート１６から挿入されると、図示しない検知センサによって小切手１７が検知され、駆動ローラが回転駆動される。駆動ローラが回転すると、無端ベルトに動力が伝えられ、ゲート１６から挿入された小切手１７が媒体処理装置１の奥へと搬送される。そして、小切手１７が着磁ヘッド１１と対向する位置を過ぎると、そのＭＩＣＲ文字１７ａは着磁され、小切手１７がイメージセンサ１２と対向する位置を過ぎると、小切手１７の表面がスキャンされ、小切手１７が読取ヘッド１３を過ぎると、そのＭＩＣＲ文字に記録されたデータの読み取りが行われる。
【００４３】
ここで、本実施の形態に係る媒体処理装置１において、着磁ヘッド１１は、フレーム１５の一部を介在させた状態で、フレーム１５に埋設されている。この埋設態様を、図２を用いて詳述する。図２は、図１（ａ）に示す媒体処理装置１の着磁ヘッド１１近傍（点線枠Ｙ内）を拡大した側断面図である。
【００４４】
図２に示すように、着磁ヘッド１１と搬送路１４の間には、フレーム１５の一部が介在している。すなわち、着磁ヘッド１１の図示下面（搬送１５が不連続となっていないため、たとえ小切手１７の端が折れていた場合であっても、着磁ヘッド１１近傍でジャムが発生するのを防ぐことができる。また、搬送路１４のうち着磁ヘッド１１路１４と対向する面）が搬送路１４に表出していない。従って、搬送路１４を形成するフレームと対向する位置付近で塵や埃が滞留するのを防ぐことができ、ひいてはジャムの発生を確実に防ぐことができる。
【００４５】
さらに、図２に示すように、着磁ヘッド１１は、フレーム１５に形成された凹部１５ａに配設されているとともに、搬送路１４とは反対側において、フレーム１５に接着剤２０により接着されている。従って、着磁ヘッド１１をフレーム１５によって固定することができ、ひいては位置決めの信頼性を確保することができる。また、着磁ヘッド１１を簡易に取り付けることができる。また、接着剤２０によって、着磁ヘッド１１とフレーム１５との間の隙間から塵や埃が侵入するのを防ぐことができる。
【００４６】
図３は、図１（ａ）に示す着磁ヘッド１１の具体的構成の一例を示す図である。
【００４７】
図３（ａ）に示すように、媒体処理装置１における着磁ヘッド１１は、永久磁石１１ａと、フロントヨーク１１ｂと、バックヨーク１１ｃと、から構成される略直方体形状である。また、図３（ｂ）に示すように、フロントヨーク１１ｂの中央には長穴形状のスリット１１ｄが形成されており、スリット１１ｄは、永久磁石１１ａの漏れ磁束を発生させるギャップとして機能している。
【００４８】
このような構成において、永久磁石１１ａのＮ極（図３（ａ）中右側のＮ極）から出た磁束は、主に、スリット１１ｄ近傍のフロントヨーク１１ｂ、フレーム１５、搬送路１４、フレーム１５、スリット１１ｄ近傍のフロントヨーク１１ｂを通過した後、永久磁石１１ａのＳ極（図３（ａ）中左側のＳ極）に戻るようになっている。
なお、フレーム１５の凹部１５ａの深さ、すなわち、凹部１５ａと搬送路１４との間隔は、永久磁石１１ａがもつ磁気力やＭＩＣＲ文字を着磁するに必要な磁気力を考慮しながら、搬送路１４内を搬送する小切手１７に形成されたＭＩＣＲ文字を着磁できる程度となるように設計されている。例えば、本実施の形態では、図３（ａ）に示すように、永久磁石１１ａのＮ極（図３（ａ）中右側のＮ極）から出た磁束は、搬送路１４内を貫通する程度、換言すれば、着磁ヘッド１１が設けられていないフレームに届く程度となっている。
【００４９】
ここで、図３（ａ）に示すように、フレーム１５の凹部１５ａの底面は平面形状となっているところ、フロントヨーク１１ｂの下面（搬送路１４と対向する面）も、Ｒ形状ではなく平面形状となっている。従って、着磁ヘッド１１とフレーム１５との位置決めを簡易化することができる。また、一般的な着磁ヘッド１１は、例えばアルミよりなるケースカバーで覆われているが、ここでは凹部１５ａと接着剤２０によって、それを省略することができる。これにより、コスト削減に寄与することができる。
【００５０】
［変形例］
なお、上述の形態は本発明の好適な形態の一例ではあるがこれに限定されるものではなく本発明の要旨を逸脱しない範囲において種々変形実施可能である。
【００５１】
例えば、フレーム１５に凹部１５ａを形成することなく、単に着磁ヘッド１１をフレーム１５上に固着（圧着）させてもよい。なお、着磁ヘッド１１の周囲に接着剤２０を塗布するようにしてもよい。また、フレーム１５に形成した凹部１５ａの大きさを、着磁ヘッド１１の大きさと合致させ、着磁ヘッド１１を凹部１５ａに嵌め込むようにしてもよい。これにより、接着剤２０を要することなく着磁ヘッド１１を位置決めすることができる。
【００５２】
一方で、フレーム１５の材質を変更しても構わない。フレーム１５は、非磁性材料の一例としての樹脂材料からなる。その他、樹脂材料以外にも、セラミックからなるフレームであってもよい。なお、金属からなるフレームを採用しているが、このような材質であってもよい。いずれの場合でも、上述したとおり、着磁ヘッド１１から出た磁束が、搬送路１４内を搬送する小切手１７に形成されたＭＩＣＲ文字を着磁（磁化）できるようになっていればよい。
【００５３】
（磁気ヘッドの第1実施の形態）
次に、ＭＩＣＲ文字が印刷された小切手などを処理する媒体処理装置１に適用可能な着磁ヘッド（磁気ヘッド）についてより詳細に説明する。なお、着磁ヘッドは、ＭＩＣＲ文字を着磁（磁化）するために使用されているが、これに限定されるものではなく、ＭＩＣＲ文字の磁化を弱ませるように処理する消磁ヘッドとして用いてもよい。
【００５４】
図４は本発明にかかる磁気ヘッドを示す図面であり、（ａ）は情報記録媒体（図示せず）と接する面を示す正面図、（ｂ）は（ａ）をＸＸ−ＸＸ線に沿って切断した側断面図、（ｃ）は（ａ）をＹＹ−ＹＹ線に沿って切断した側断面図である。
【００５５】
磁気ヘッドとしての着磁ヘッド１０１は、図４（ｂ）、（ｃ）に示すように、Ｎ極とＳ極とを備えた略直方体の磁石１１０と、磁石１１０を挟んで取り付けられたヨーク１２０Ａ、およびバックヨーク１２０Ｂと、ヨーク１２０Ａに形成されたギャップ１３０とを有している。
【００５６】
磁石１１０は直方体の永久磁石であり、媒体搬送方向に垂直な断面においては、図４（ｂ）に示すように、Ｎ極とＳ極と四極着磁されている。なお、説明し易いように、図４において、Ｎ極とＳ極との境界線Ｌを点線で示している。磁石１１０は、永久磁石であればよいが、本実施の形態では、保磁力が大きく減磁しにくい安定したフェライト磁石を用いている。
【００５７】
情報磁気媒体としての小切手と対向する側には、ヨーク１２０Ａが接着剤等を用いて固着され、同様に、その反対側にはバックヨーク１２０Ｂが接着剤等を用いて固着されている。ヨーク１２０Ａは、図４（ａ）に示すように、磁石1１０の、小切手が摺動する側の表面1１１の形状と、ヨーク１２０Ａとは略同寸法であり、磁石１１０の表面（全体）を覆っており、本実施の形態では一枚のシートで形成している。
【００５８】
同様に、バックヨーク１２０Ｂは、磁石１１０の表面１１１の形状とは略同寸法に加工されて磁石１１０の表面（全体）を覆うように接着剤等を用いて固着されている。
【００５９】
ヨーク１２０Ａ、バックヨーク１２０Ｂは磁性材料からなり、磁石１１０から供給される磁束を所定の方向に流れるようにしている。したがって、磁石１１０からの不必要な漏れ磁束の発生を防止している。また、ヨーク１２０Ａ、バックヨーク１２０Ｂの材料は、加工性のよい磁性を帯びるものであればどのようなものでもよく、様々な種類の軟質磁性または半硬質磁性を有する強磁性材料を用いている。本実施の形態では、例えば、鉄板を用いている。
【００６０】
なお、磁気ヘッドの第１の実施の形態では、磁石１１０の厚みが５ｍｍであるのに対し、ヨーク１２０Ａは１ｍｍ程度となっている。また、バックヨーク１２０Ｂもまた１ｍｍ程度となっている。すなわち、生産性を高めるために、ヨーク１２０Ａ、バックヨーク１２０Ｂとは同じ材料から成形されるようにしている。
【００６１】
ヨーク１２０Ａには、境界線Ｌ上に沿って、漏れ磁束を発生させるギャップ１３０が形成されている。本実施の形態では、ギャップ１３０は溝形状であり、その底部が磁石１１０の表面１１１にまで達しており、すなわち、磁石１１０が露呈した状態となっている。また、本実施の形態では、ギャップ１３０を構成する溝は、図４（ａ）に示すように、媒体摺動側と磁石１１０表面側とは同じ幅となっている。
【００６２】
ギャップ１３０は、小切手（情報磁気媒体）の搬送方向に所定の間隔（以下、ギャップ長Ｇとする）を有し、小切手の搬送方向と直交する方向に所定の幅Ｗを有している。この幅Ｗは、搬送される小切手に形成されたデータ領域の幅と同じか、やや大きな幅となるように形成されている。
【００６３】
ギャップ長Ｇは、境界線Ｌを中心として搬送方向に対称に形成されている。なお、第１の実施の形態では、ヨーク１２０Ａの形状とともにプレス加工により一体的に形成されている。
【００６４】
また本実施の形態において、ギャップ１３０が形成された領域（位置）において、小切手の搬送方向と直交する方向の両端部は閉じられており、その部位は閉塞部１３５となっている。さらに、本実施の形態では、閉塞部１３５は、磁気を短絡させ、漏れ磁束の発生を抑制する磁気ショートとしても機能している。
【００６５】
ギャップ１３０は、一般的な小切手の着磁および消磁に最適な形状となっており、情報記録媒体が小切手以外であれば、その情報記録媒体の磁気部にあわせて設計変更されるものである。
【００６６】
本実施の形態では、ヨーク１２０Ａの厚みは１ｍｍであり、形成された閉塞部１３５は、ヨーク１２０Ａの両側の端部から１ｍｍ程度の幅ｗ１、ｗ２を有している。閉塞部１３５の幅ｗ１、ｗ２は、第1の実施の実施例の数値に限定されるものでは ２つの閉塞部１３５の幅ｗ１、ｗ２は、本実施の形態では、同じ1ｍｍ程度となっているが、これに同じ幅、数値１ｍｍに限定されるものではなく、搬送される情報記録媒体の種類に応じて機能すればよく適宜変更可能である。
なお、閉塞部１３５の幅ｗ１、ｗ２が大きいと磁気飽和せず、ギャップ１３０の漏れ磁束が少なくなってしまうので、シュミュレーション等をして適宜設定されるようにしている。
【００６７】
本実施の形態において、ギャップ１３０の両端には、閉塞部１３５が形成されているので、情報記録媒体側以外には漏れ磁束が発生しにくい構造となっている。すなわち、磁気ヘッド１０１は閉塞部１３５が形成されているので、閉塞部１３５が磁気をショートさせるため、余分な磁束漏れを防止できる。さらに、情報記録媒体の搬送方向に漏れ磁束を増加することができるようにしている。
【００６８】
つぎに、記録方法について説明する。
磁気ヘッドとしての着磁ヘッド１０１は、磁石１１０上に、ギャップ１３０を有するヨーク１２０Ａが固着され、環状の磁気回路を形成したものである。ヨーク１２０内では、Ｎ極側を覆うヨーク１２０ＡからＳ極側を覆うヨーク１２０Ａへと内部磁束が発生しているが、ギャップ１３０では、矢印Ａで示すように、Ｎ極側を覆うヨーク１２０ＡからＳ極側を覆うヨーク１２０Ａに向かう漏れ磁束が発生する。そこに、小切手（情報記録媒体）が、着磁ヘッド１０１に向かって搬送され、着磁ヘッド１０１のヨーク１２０Ａ面を摺動する。ギャップ１３０近傍では、漏れ磁束が発生しており、この漏れ磁束が小切手のＭＩＣＲ文字に鎖交させて磁化する。第１の実施の形態では、永久磁石１１０を用いているので、小切手のＭＩＣＲ文字には、一定の大きさ、かつ方向の磁化により一様に着磁（磁化）される。
【００６９】
また、本実施の形態では、磁気ヘッド１０１には、バックヨーク１２０Ｂが磁石１１０に固着されており、バックヨーク１２０Ｂには、図４（ｂ）に示すように、内部磁束の方向Ｂを示している。換言すれば、バックヨーク１２０Ｂが磁石１１０に対して磁気を短絡させる磁気ショートとなっている。これにより、外部に不必要な漏れ磁束が発生することが抑制される。
【００７０】
（第１の実施の形態の効果）
本実施の形態に示す磁気ヘッドとしての着磁ヘッド１０１は、情報記録媒体としての小切手が搬送する方向に沿ってＮ極・Ｓ極が着磁された磁石１１０と、磁石１１０の、小切手と対向する面に取り付けられたヨーク１２０Ａと、ヨーク１２０Ａに形成されたギャップ１３０とを有し、ギャップの少なくとも一方に閉塞部１３５が形成されている。これにより、着磁ヘッド１０１はギャップ長Ｇの精度を保持しながら、簡単に組立てができる。
【００７１】
さらに、着磁ヘッド１０１は、ヨーク１２０Ａが一枚板で構成されているので、ヨーク１２０Ａを磁石１１０の表面１１１に接着剤等を用いて固着することで、ギャップ長Ｇの精度を保持したままで簡単に組み付けることができるとともに、ギャップ１３０の位置決めに煩わされることもない。
【００７２】
また、着磁ヘッド１０１は、ギャップ１３０の両端に形成した閉塞部１３５により磁気をショートさせることができるため、ギャップ１３０からの漏れ磁束を有効に活用することができ、さらに、小切手の搬送方向に漏れ磁束が発生するようにしているので、磁束量を増加させることができる。すなわち、ヨーク１２０Ａに形成された閉塞部１３５により磁気媒体方向に磁束漏れを集中させることができる。さらに、余計な磁束漏れを防止することができるため、磁石を小型化できるので、小切手や情報記録媒体を小型化することが可能となる。
【００７３】
さらに、磁石１１０には、小切手と対向する面とは反対側の面に、バックヨーク１２０Ｂが取り付けられているので、磁石１１０からの磁束をバックヨーク１２０Ｂに導き、磁束が着磁ヘッド１０１のコアに流れるのを防止することができる。
【００７４】
（他の実施の形態）
なお、上述の形態は本発明の好適な形態の一例ではあるがこれに限定されるものではなく本発明の要旨を逸脱しない範囲において種々変形実施可能である。
【００７５】
例えば、ヨーク１２０Ａおよびバックヨーク１２０Ｂは磁石１１０の表面１１１、および表面１１１の対向面を覆う形状となっているが、これに限られるものではない。１枚シートでなくてもよく、例えば、ギャップ、閉塞部を形成し、閉塞部を接合することで１枚のヨークを形成するようにしてもよい。この場合でも、閉塞部同士を当接することで、ギャップ長Ｇの精度を出すことができる。
【００７６】
また、ヨーク１２０Ａおよびバックヨーク１２０Ｂの厚さは任意の厚さでよく、搬送される情報記録媒体の種類に応じて機能すればよく適宜変更可能である。
【００７７】
図５は、本発明の他の実施の形態を示す磁気ヘッドを示す図である。なお、上述した第１の実施の形態と同じ構成のものには同じ符号を付して説明する。磁気ヘッドとしての着磁ヘッド１５０では、ヨークとバックヨークとを一体成形し、１枚シートであるヨーク１２１Ａを磁石１１０の周囲を覆うようにしたものである。周囲を取り囲むようにしたヨーク１２１Ａが、磁石１１０から供給される磁束を所定の方向に流れるようにしている。したがって、図４に示すヨーク１２０Ａ及びバックヨーク１２０Ｂと同様に、磁石１１０からの不必要な漏れ磁束の発生を防止している。
【００７８】
なお、着磁ヘッド１５０は、図４と同様に、Ｎ極とＳ極とを備えた略直方体の磁石１１０と、磁石１１０を挟んで取り付けられたヨーク１２１Ａと、ヨーク１２１Ａに形成されたギャップ１３０とを有している。磁石１１０には、ギャップ１３０を備えたヨーク１２１Ａが被着されている。ギャップ１３０の両端部には、閉塞部１３５が形成されている。本実施の形態では、ヨーク１２１Ａが、バックヨークの機能を有している。
なお、本実施の形態において、ギャップ１３０の形状、ギャップ１３０近辺に形成された閉塞部１３５については、図４に示すものと同じであるので、ここでの説明は省略する。
【００７９】
本実施の形態において、ヨーク１２１Ａは、磁石１１０の一周方向に覆うように形成されており、端部１５１を備えたいわゆるカーリング形状しており、小切手の搬送方向に形成された二側面も覆うにようになっている。すなわち、ヨーク１２１Ａは、一枚の板部材で構成されている。具体的には、着磁ヘッド１５０の四面を覆うようにしている。なお、ヨーク１２１Ａについては、端部１５１をなくした筒状であってもよい。
【００８０】
上述した着磁ヘッド１５０によれば、ヨーク１２１Ａに被覆される面が四面となることから、より余計な漏れ磁束の発生を抑制することができ、磁力が増加するため磁石１１０の小型化が可能となり、着磁ヘッド１５０を小さく形成することができる。
【００８１】
閉塞部１３５の形状は、図４に示すものに限定されるものではなく、例えば、図６に示す着磁ヘッド１５５であってもよい。すなわち、図６に示す閉塞部１３５Ａは、接合された部分とギャップ長Ｇよりも短い間隔を有する溝部とから形成されたものである。溝部からは、ある程度は漏れ磁束が発生するが、上述したように、磁気ショート機能を有するものである。
【００８２】
なお、着磁ヘッド１５５は、図６に示すように、Ｎ極とＳ極とを備えた略直方体の磁石１１０と、磁石１１０を挟んで取り付けられたヨーク１２２Ａ、およびバックヨーク（図示せず）と、ヨーク１２２Ａに形成されたギャップ１３０Ａとを有している。磁石１１０には、ギャップ１３０Aを備えたヨーク１２２Ａが被着されている。
【００８３】
また、図４から６に示す磁気ヘッドとしての着磁ヘッドに用いられている磁石１１０は、分割された磁石を組み合わせて構成してもよい。
【００８４】
（第２の実施の形態）
次に、本発明の係る媒体処理装置に適用可能な着磁ヘッド（磁気ヘッド）の第２の実施の形態について図７から図１０を用いて説明する。なお、図７から図１０に示す着磁ヘッド２１１、２１１Ａ、２１１Ｂ、２１１Ｃと搬送路１４の間には、図３（ａ）に示すように、フレーム１５の一部が介在するように埋設されているが、図を簡単にするために、フレーム１５の一部は省略されている。
図７は、図１（ａ）に示す媒体処理装置１に適用可能な着磁ヘッド近傍（点線枠Ｙ内）を拡大した側断面図である。
【００８５】
図７（ａ）に示すように、第２の実施の形態である着磁ヘッド２１１は、小切手１７を搬送する搬送方向（図７（ａ）では、右から左）に沿って異極が着磁された（図７（ａ）ではＮ極〜Ｓ極）磁石２１１ａと、磁石２１１ａの外周面であって、小切手１７を搬送する搬送路１４に対向する面に取り付けられたヨーク２１１ｂと、磁石２１１ａの外周面であって、搬送路１４と対向する面とは反対側の面に取り付けられたバックヨーク２１１ｃと、から構成されている。なお、着磁ヘッド２１１は、搬送路１４の内周面を形成するガイド（例えば非磁性ＳＵＳ板など）上に、小切手１７に対して磁石２１１ａの上下端面が平行になるように、エポキシなどの接着剤により位置決め（固定）されている。
【００８６】
図７（ｂ）は、ヨーク２１１ｂを搬送路側からみたときの図である。図７（ｂ）に示すように、ヨーク２１１ｂは、一枚板で構成されており、その一部には、長手方向が搬送方向と略垂直な方向になるようにスリット（「磁気ギャップ」ともいう）が形成されている（図７（ｂ）中の黒塗り部参照）。このスリットは、その両端部が閉じられている。
【００８７】
ここで、本実施形態に係る媒体処理装置１において、着磁ヘッド２１１を構成するヨーク２１１ｂは、小切手１７の搬送方向において磁石２１１ａよりも読取ヘッド１３側に長く延設されている。従って、磁石２１１ａから出た磁束は、着磁に用いられる磁束（図７（ａ）の矢印ＡＡ参照）と、着磁に不要な漏れ磁束（図７（ａ）の矢印ＢＢ，Ｂ'Ｂ'参照）とに分けられるが、後者の漏れ磁束は、ヨーク２１１ｂに導かれて搬送路１４に入りにくくなることから、搬送路１４内において着磁に不要な漏れ磁束を減らすことができる。具体的に説明すると、仮に、ヨーク２１１ｂが読取ヘッド１３側に長く延設されていないとすると、図７（ａ）の点線矢印ＣＣが示すように、矢印ＡＡとは反対側の漏れ磁束が、搬送路１４に多く入ることになる。ところが、本実施形態のように、ヨーク２１１ｂが読取ヘッド１３側に長く延設されていると、点線矢印ＣＣが示す漏れ磁束は、実線矢印Ｂ'Ｂ'が示すような漏れ磁束となり、搬送路１４に入りにくくなる。その結果、着磁に用いられる磁束（矢印ＡＡ参照）とは逆方向に向かう漏れ磁束（点線矢印ＣＣ参照）を低減する（或いはなくす）ことができ、ひいては磁気情報の読取精度が低下するのを防ぐことができる。
【００８８】
また、図７（ａ）に示すヨーク２１１ｂでは、先端部がバックヨーク２１１ｃ側に折り曲げられることで、リターンヨーク部２１１ｄが形成されている。これにより、着磁に不要な磁束、すなわち、実線矢印Ｂ'Ｂ'が示す漏れ磁束は、リターンヨーク部２１１ｄを通じてヨーク部２１１ｂへと導かれる。その結果、ヨーク２１１ｂ，リターンヨーク部２１１ｄ，及びバックヨーク２１１ｃによって、磁気抵抗の小さな磁路が形成されることから、搬送路１４に入り込む漏れ磁束をより効果的に減らすことができる。
【００８９】
また、リターンヨーク部２１１ｄと、磁石２１１ａとの間には、所定間隔の隙間が空いている。この隙間の間隔を、最適な値に調整することによって、搬送路１４に入り込む漏れ磁束を減らしつつ、着磁に用いられる磁束を増やすことができる。すなわち、あまりに大きなリターンヨーク部２１１ｄを形成すると、搬送路１４に入り込む漏れ磁束は減る一方で、着磁に用いられる磁束（矢印ＡＡ参照）まで小さくしてしまい兼ねない。従って、リターンヨーク部２１１ｄの大きさや、リターンヨーク部２１１ｄと磁石２１１ａとの間の隙間は、最適な値に調整されるものとする。
【００９０】
以上説明したように、本実施形態に係る着磁ヘッド２１１によれば、ヨーク部２１１ｂが読取ヘッド１３側に延設されているので、磁石２１１ａから出た磁束のうち、搬送路１４に入り込む不要な漏れ磁束（図７（ａ）で示す点線矢印ＣＣ）を減らす（或いはなくす）ことができ、ひいては磁気情報の読取精度が低下するのを防ぐことができる。また、ヨーク２１１ｂ（及びリターンヨーク部２１１ｄ）は、例えば、凹部を有する２枚の板を張り合わせてヨーク中のスリットを形成する、といった製造工程が不要になり、ひいては製造工程を簡易化することができる。また、ヨーク２１１ｂの透磁率は場所に拘わらず均一であることが望ましいが、例えばヨークが複数枚の板からなる場合には、これを調整する手間が生ずる場合がある。この点、一枚板であれば、このような調整の手間は不要になる。
【００９１】
また、ヨーク２１１ｂに形成されたスリットは両端部が閉じられているので、片方の端部が閉じられている場合と比べて、漏れ磁束をより減らすことができる。
【００９２】
さらに、磁石２１１ａの外周面であって、搬送路１４と対向する面とは反対側の面には、バックヨーク２１１ｃが取り付けられているので、搬送路１４と対向する面とは反対側の面において、磁気抵抗の小さな磁路（磁気回路）を形成することができ、結果的に、この面からの漏れ磁束を減らすことができる。
また、一般的な着磁ヘッドでは、ゲートから読取ヘッドに向けてＮ極〜Ｓ極と配置されていることから、ヨークのうちの読取ヘッド側（Ｓ極）近傍において、逆方向に向かう漏れ磁束が生じ易いが、本実施の形態に係る着磁ヘッド２１１は、上述したようにリターンヨーク部２１１ｄによっても漏れ磁束を低減することができるし、磁石２１１ａとリターンヨーク部２１１ｄの隙間を調整することによっても漏れ磁束を低減することができる。
【００９３】
例えば、上述の隙間の間隔を小さくすればするほど、搬送路１４に入り込む漏れ磁束は減る。一方で、あまりにもこの間隔を小さくし過ぎると、着磁に用いられる磁束（スリット近傍に生じる磁束）が減ってしまうことになる。従って、スリット近傍に生じる磁束と、着磁に不要な漏れ磁束との関係で、所定の間隔は最適値に設定される必要がある。
【００９４】
なお、本実施形態に係る着磁ヘッド２１１によれば、搬送路１４の内周面を形成するガイドに開口部を形成する必要がなくなり、製造工程が容易になる。また、磁気ヘッド２１１表面と小切手１７表面とのスリット調整を、ガイドの板厚によって管理することができるので、調整工程が不要になり、製造工程が容易になる。また、磁気ヘッド２１１の外形寸法は小さいことから、媒体処理装置１の設計自由度が向上する。また、媒体処理装置１への組み付けホルダを排止することもできる。
【００９５】
［変形例］
なお、上述の形態は本発明の好適な形態の一例ではあるがこれに限定されるものではなく本発明の要旨を逸脱しない範囲において種々変形実施可能である。例えば、図８は、本発明の他の実施の形態に係る媒体処理装置１における着磁ヘッド２１１Ａの構成を説明するための説明図である。図７（ａ）では、ヨーク部２１１ｂを、読取ヘッド１３側にのみ延設することとしたが、図８に示すように、読取ヘッド１３とは反対側にも延設することとしてもよい。
【００９６】
図９は、本発明の他の実施の形態に係る媒体処理装置１における着磁ヘッド２１１Ｂの構成を説明するための側断面図である。
【００９７】
図９に示すように、着磁ヘッド２１１Ｂにおいて、リターンヨーク部２１１ｄは、ヨーク部２１１ｂの一部が折れ曲がった傾斜部２１１ｅの先に、形成されていてもよい。勿論、鈍角に折れ曲がっていてもよいし、カール状に曲がっていてもよいし、その態様の如何は問わない。
このように、傾斜部２１１ｅを設けることで、搬送路１５近傍には、リターンヨーク部２１１ｄにほぼ直角に曲がる部位が配置されていないので、必要としない磁束を搬送路１５側に飛び出すことを防止することができる。また、このような着磁ヘッド２１１Ｂであれば、従来のように、その摺接面、すなわち、リターンヨーク部２１１ｄがフレーム１５から搬送路１４に表出している状態で配設されていてもよい。すなわち、磁気ヘッド２１１Ｂ近傍でフレーム１４が不連続となりにくいので、搬送路１５のうち磁気ヘッド２１１Ｂと対向する位置付近で塵や埃が滞留するのを防ぎ、ひいてはジャムの発生を防ぐことができる。
【００９８】
図１０は、本発明の他の実施の形態に係る媒体処理装置１における着磁ヘッド２１１Ｃの構成を説明するための側断面図である。図１０に示すように、上述した媒体処理装置１（図７〜図９参照）では、リターンヨーク部２１１ｄを設けることとしたが、これがなくても構わない。この場合、リターンヨーク部２１１ｄを形成しない分だけ作業性が向上する。
【００９９】
また、上述した構成に限定されるものではなく、例えば、ヨークは、読取ヘッド側にのみ延設され、かつ、リターンヨーク部がなくても構わない。
【０１００】
さらに、着磁ヘッドは、バックヨークが取り除かれていてもよい。このように、バックヨークがなくても、ヨークから外部へ出ていく漏れ磁束を減らすことは可能である。
【０１０１】
また、ヨークの端部のうち一方の端部だけが閉じられていてもよい。このような構成でも、漏れ磁束を低減することは可能である。また、ヨークを、１枚板ではなく、凹部を有する２枚の板（左ヨーク，右ヨーク）を組み合わせることで形成することとしてもよい。
【０１０２】
さらに、図３から図１０に示す着磁ヘッドの摺接面、すなわち、リターンヨーク部を、フレームから搬送路に表出して配設するようにしてもよい。
【産業上の利用可能性】
【０１０３】
本発明に係る媒体処理装置は、ジャムの発生を防ぐとともに、磁気ヘッドの位置決めを簡易化しうるものとして有用である。また、本発明に係る磁気ヘッドは、着磁に不要な漏れ磁束を減らして磁気情報の読取精度の低下を防ぐことが可能なものとして有用である。
【図１】
2011249006.tif 000003
【図２】
2011249006.tif 000004
【図３】
2011249006.tif 000005
【図４】
2011249006.tif 000006
【図５】
2011249006.tif 000007
【図６】
2011249006.tif 000008
【図７】
2011249006.tif 000009
【図８】
2011249006.tif 000010
【図９】
2011249006.tif 000011
【図１０】
2011249006.tif 000012
【図１１】
2011249006.tif 000013